(57)【特許請求の範囲】
【請求項１】
光電変換面に複数の画素が水平方向および垂直方向に各整列するようにして二次元的に配列された光電変換部と、
上記光電変換部の全画素の光電変換出力を読み出す第１読み出しモードと、上記全画素のうち水平方向又は垂直方向の配列中一方向の配列に関しては間欠的に、且つ、他方向の配列に関しては全てが、各選定された限定的な画素の光電変換出力を読み出す第２読み出しモードとの何れかのモードによって、各該当する画素の光電変換出力を読み出すように構成された読み出し回路部と、
上記読み出し回路部が上記第１読み出しモードによって上記全画素の光電変換出力を読み出すときには、当該欠陥画素に水平方向に隣接する画素の光電変換出力および垂直方向に隣接する画素の光電変換出力に基づいて得られる光電変換出力を上記欠陥画素の信号として置き換えることにより欠陥補正処理を行い、上記読み出し回路部が上記第２読み出しモードによって上記限定的な画素の光電変換出力を読み出すときには、上記他方向の配列に関するものに限定して上記欠陥画素に隣接する画素の光電変換出力に基づいて得られる光変換出力を上記欠陥画素の信号として置き換えることにより欠陥補正処理を行なうように構成された欠陥補正処理部と、
を備えてなることを特徴とする画素欠陥補正装置。
【請求項２】
光電変換面に各所定のカラーに該当する複数の画素が水平方向および垂直方向に各整列するようにして二次元的に配列された光電変換部と、
上記光電変換部の全画素の光電変換出力を読み出す第１読み出しモードと、上記全画素のうち水平方向又は垂直方向の配列中一方向の配列に関しては間欠的に、且つ、他方向の配列に関しては全てが、各選定された限定的な画素の光電変換出力を読み出す第２読み出しモードとの何れかのモードによって、各該当する画素の光電変換出力を読み出すように構成された読み出し回路部と、
上記読み出し回路部が上記第１読み出しモードによって上記全画素の光電変換出力を読み出すときには、当該欠陥画素が該当するカラーと同じカラーの画素として上記欠陥画素に水平方向に隣接する画素の光電変換出力および垂直方向に隣接する画素の光電変換出力に基づいて得られる光電変換出力を上記欠陥画素の信号として置き換えることにより欠陥補正処理を行い、上記読み出し回路部が上記第２読み出しモードによって上記限定的な画素の光電変換出力を読み出すときには、上記他方向の配列に関するものに限定して上記欠陥画素に該当するカラーと同じカラーの画素として上記欠陥画素に隣接する画素の光電変換出力に基づいて得られる光電変換出力を上記欠陥画素の信号として置き換えることにより欠陥補正処理を行うように構成された欠陥補正処理部と、
を備えてなることを特徴とする画素欠陥補正装置。
【請求項３】
光電変換面に複数の画素が水平方向および垂直方向に各整列するようにして二次元的に配列された光電変換部を有する撮像装置に係る画素欠陥補正方法であって、
上記撮像装置に設けた読み出し回路部によって、上記光電変換部の全画素の光電変換出力を読み出す第１読み出しモードと、上記全画素のうち水平方向又は垂直方向の配列中一方向の配列に関しては間欠的に、且つ、他方向の配列に関しては全てが、各選定された限定的な画素の光電変換出力を読み出す第２読み出しモードとの何れかのモードによって、各該当する画素の光電変換出力を読み出し、
上記撮像装置に設けた欠陥補正処理部によって、上記読み出し回路部が上記第１読み出しモードによって上記全画素の光電変換出力を読み出すときには、当該欠陥画素に水平方向に隣接する画素の光電変換出力および垂直方向に隣接する画素の光電変換出力に基づいて得られる光電変換出力を上記欠陥画素の信号として置き換えることにより欠陥補正処理を行い、上記読み出し回路部が上記第２読み出しモードによって上記限定的な画素の光電変換出力を読み出すときには、上記他方向の配列に関するものに限定して上記欠陥画素に隣接する画素の光電変換出力に基づいて得られる光電変換出力を上記欠陥画素の信号として置き換えることにより欠陥補正処理を行うようにすることを特徴とする画素欠陥補正方法。
【請求項４】
光電変換面に各所定のカラーに該当する複数の画素が水平方向および垂直方向に各整列するようにして二次元的に配列された光電変換部を有する撮像装置に係る画素欠陥補正方法であって、
上記撮像装置に設けた読み出し回路部によって、上記光電変換部の全画素の光電変換出力を読み出す第１読み出しモードと、上記全画素のうち水平方向又は垂直方向の配列中一方向の配列に関しては間欠的に、且つ、他方向の配列に関しては全てが、各選定された限定的な画素の光電変換出力を読み出す第２読み出しモードとの何れかのモードによって、各該当する画素の光電変換出力を読み出し、
上記撮像装置に設けた欠陥補正処理部によって、上記読み出し回路部が上記第１読み出しモードによって上記全画素の光電変換出力を読み出すときには、当該欠陥画素が該当するカラーと同じカラーの画素として上記欠陥画素に水平方向に隣接する画素の光電変換出力および垂直方向に隣接する画素の光電変換出力に基づいて得られる光電変換出力を上記欠陥画素の信号として置き換えることにより欠陥補正処理を行い、上記読み出し回路部が上記第２読み出しモードによって上記限定的な画素の光電変換出力を読み出すときには、上記他方向の配列に関するものに限定して上記欠陥画素に該当するカラーと同じカラーの画素として上記欠陥画素に隣接する画素の光電変換出力に基づいて得られる光電変換出力を上記欠陥画素の信号として置き換えることにより欠陥補正処理を行うようにすることを特徴とする画素欠陥補正方法。
【発明の詳細な説明】
【０００１】
【発明の属する技術分野】
本発明は、デジタルカメラやテレビジョンカメラ等に適用される固体撮像装置に多くの場合組込まれて乃至は組み合わせて適用される画素欠陥補正装置および画素欠陥補正方法に関する。
【０００２】
【従来の技術】
ＣＣＤ等の半導体で構成される固体撮像素子では、半導体の結晶を一定の面積に亘って均一に形成することが困難であるため、局所的に結晶欠陥が生じることとなり、この欠陥が生じた部位では熱によって電荷が生じる現象を呈する。即ち、この部位は欠陥画素になってしまう。更には、例として２／３インチのイメージフォーマットに準拠して固体撮像素子を構成する場合、１画素の大きさは略々５μｍ四方のものとなるが、このような微少画素では僅かなゴミがその表面に付着しただけで欠陥画素となってしまう。
【０００３】
入射光量に応じた電気信号に更に一定のバイアスが重畳されるタイプの欠陥画素の出力からは、モニタ上に白い点となって現れる現象を惹起する。また、光感度の低い欠陥画素の出力からは、モニタ上に黒い点なって現れる現象を呈する。
【０００４】
画素欠陥の補正は、一般に当該画素欠陥の周辺に位置する４画素の情報に基づいて行われる。即ち、欠陥画素に対して、その上下（垂直方向）左右（水平方向）に隣接する４画素の信号の平均値によって、その画素の位置に係る画像出力データを置換する。隣接する位置の画素情報は欠陥画素の位置におけるものとの相関が高いことを前提とする補正であるが、実際にこのような処理を行っても解像度の低下を招来することは殆どない。
尚、カラー撮像素子について上記「隣接する」とは、当該欠陥画素が該当するカラー（その画素位置に該当するカラー）と同じカラーの画素として、この欠陥画素に水平方向或いは垂直方向に隣接する意であることは勿論である。つまり、物理的に直近の画素は当該欠陥画素とは異なるカラーを担うものであるのが普通であるが、同じカラーを担う画素として、最も近いところに位置する意である。
【０００５】
一方、電子画像の高精細化の要求は強く、撮像素子の画素数も年々増加している。しかしながら、動画の記録・再生、或いは、電子ビューファインダ（ＥＶＦ）による被写体のモニタ時等においては、撮像素子の全画素数よりも少ない特定の画素を撮像素子から読み出す、即ち、間引いて乃至は部分的に読み出すことがある。このような場合にも、読み出しの対象とされた画素に欠陥画素が含まれていれば、画素欠陥補正処理を行う必要がある。このように画素を間引いて読み出す場合、全画素を読み出す場合に適用するアルゴリズムと同じアルゴリズムによって処理を実行したのでは適切な補正処理が行われなくなってしまう。これは、例えば、水平１ラインおきに間引いて画素を読み出す場合について見て容易に理解されるように、欠陥画素が属する水平ラインに上下に隣接する水平ライン（読み出しの対象とされたライン）の画素は、その物理的位置が当該欠陥画素とは離隔しているため、欠陥画素とは相関性が薄いためである。
【０００６】
画素欠陥並びにその補正に関する技術は従来より種々提案されている。例えば、特開昭６１−２６１９７４号公報、特開平６−６６４３号公報、特開平６−３０４２５号公報、特開平６−２０５３０２号公報等々には、欠陥画素の検出乃至判定に関する技術が開示されている。また、画素欠陥補正処理に関するものとしては、特開昭６２−８６６６号公報（欠陥画素を正常画素出力に基づく演算値で置換する）、特開平５−２３６３５８号公報（補正回路と画素欠陥補正パルスによる駆動）、特開２０００−５９７９９号公報（欠陥の判定法と置換による補正）、特開２０００−２２８７７４号公報（相対的に欠陥画素が少ないラインのデータを用いて補正する）、特許第２６６７９３８号公報（プリンタにおける欠陥画素の補完）等々がある。
【０００７】
特開平９−２４７５４０号公報には、撮像素子の光電変換面に二次元的に配列された画素から、間引いて、或いは、光電変換面全体よりも限定的な領域から部分的に、その光電変換出力を読み出す場合に対応して、これらの読み出し態様に関する複数種類のデータテーブル（欠陥画素位置と置換補正に用いる正常画素位置のデータ）を予め保有しておき、所要に応じて選択したテーブルのデータのみに依拠して画素欠陥補正処理を行うことにより、処理時間を短縮するようにした技術が提案されている。
【０００８】
【発明が解決しようとする課題】
デジタルカメラ等においても、撮像素子の全画素の出力を読み出すモードと間引いた画素の出力を読み出すモードとを選択的に切り換えて動作することが可能な機能が搭載されることがある。例えば、前者は本来の記録の対象とする画像を得るときのモードであり、後者は構図や被写体を選択するべくＥＶＦにより動画で継続的にモニタするときのモードである。
【０００９】
既述のように、画素を間引いて読み出す場合にも、全画素を読み出す場合に適用するアルゴリズムと同じアルゴリズムによって補正処理を実行したのでは適切な補正処理が行われなくなってしまう。
【００１０】
しかしながら、上述の何れの既提案の技術においても、このように、全画素を読み出すモードと間引いて読み出すモードとが切換えられることに対応して適切な画素欠陥補正処理を行うようにしようといった技術課題の認識がなく、従って、その解決手段に係る論及もなされていない。
【００１１】
本発明は、叙上の点に鑑みてなされたものであり、全画素を読み出すモードと間引いて読み出すモードとが切換えられることに対応して適切な画素欠陥補正処理を行うことができる装置および方法を提供することをその目的とする。
【００１２】
【課題を解決するための手段および作用】
上記課題を解決するために、本発明は次のような構成を有する。
【００１３】
（１）光電変換面に複数の画素が水平方向および垂直方向に各整列するようにして二次元的に配列された光電変換部と、
上記光電変換部の全画素の光電変換出力を読み出す第１読み出しモードと、上記全画素のうち水平方向又は垂直方向の配列中一方向の配列に関しては間欠的に、且つ、他方向の配列に関しては全てが、各選定された限定的な画素の光電変換出力を読み出す第２読み出しモードとの何れかのモードによって、各該当する画素の光電変換出力を読み出すように構成された読み出し回路部と、
上記読み出し回路部が上記第１読み出しモードによって上記全画素の光電変換出力を読み出すときには、当該欠陥画素に水平方向に隣接する画素の光電変換出力および垂直方向に隣接する画素の光電変換出力に基づいて得られる光電変換出力を上記欠陥画素の信号として置き換えることにより欠陥補正処理を行い、上記読み出し回路部が上記第２読み出しモードによって上記限定的な画素の光電変換出力を読み出すときには、上記他方向の配列に関するものに限定して上記欠陥画素に隣接する画素の光電変換出力に基づいて得られる光変換出力を上記欠陥画素の信号として置き換えることにより欠陥補正処理を行なうように構成された欠陥補正処理部と、
を備えてなることを特徴とする画素欠陥補正装置。
【００１４】
（２）光電変換面に各所定のカラーに該当する複数の画素が水平方向および垂直方向に各整列するようにして二次元的に配列された光電変換部と、
上記光電変換部の全画素の光電変換出力を読み出す第１読み出しモードと、上記全画素のうち水平方向又は垂直方向の配列中一方向の配列に関しては間欠的に、且つ、他方向の配列に関しては全てが、各選定された限定的な画素の光電変換出力を読み出す第２読み出しモードとの何れかのモードによって、各該当する画素の光電変換出力を読み出すように構成された読み出し回路部と、
上記読み出し回路部が上記第１読み出しモードによって上記全画素の光電変換出力を読み出すときには、当該欠陥画素が該当するカラーと同じカラーの画素として上記欠陥画素に水平方向に隣接する画素の光電変換出力および垂直方向に隣接する画素の光電変換出力に基づいて得られる光電変換出力を上記欠陥画素の信号として置き換えることにより欠陥補正処理を行い、上記読み出し回路部が上記第２読み出しモードによって上記限定的な画素の光電変換出力を読み出すときには、上記他方向の配列に関するものに限定して上記欠陥画素に該当するカラーと同じカラーの画素として上記欠陥画素に隣接する画素の光電変換出力に基づいて得られる光電変換出力を上記欠陥画素の信号として置き換えることにより欠陥補正処理を行うように構成された欠陥補正処理部と、
を備えてなることを特徴とする画素欠陥補正装置。
【００１５】
（３）光電変換面に複数の画素が水平方向および垂直方向に各整列するようにして二次元的に配列された光電変換部を有する撮像装置に係る画素欠陥補正方法であって、
上記撮像装置に設けた読み出し回路部によって、上記光電変換部の全画素の光電変換出力を読み出す第１読み出しモードと、上記全画素のうち水平方向又は垂直方向の配列中一方向の配列に関しては間欠的に、且つ、他方向の配列に関しては全てが、各選定された限定的な画素の光電変換出力を読み出す第２読み出しモードとの何れかのモードによって、各該当する画素の光電変換出力を読み出し、
上記撮像装置に設けた欠陥補正処理部によって、上記読み出し回路部が上記第１読み出しモードによって上記全画素の光電変換出力を読み出すときには、当該欠陥画素に水平方向に隣接する画素の光電変換出力および垂直方向に隣接する画素の光電変換出力に基づいて得られる光電変換出力を上記欠陥画素の信号として置き換えることにより欠陥補正処理を行い、上記読み出し回路部が上記第２読み出しモードによって上記限定的な画素の光電変換出力を読み出すときには、上記他方向の配列に関するものに限定して上記欠陥画素に隣接する画素の光電変換出力に基づいて得られる光電変換出力を上記欠陥画素の信号として置き換えることにより欠陥補正処理を行うようにすることを特徴とする画素欠陥補正方法。
【００１６】
（４）光電変換面に各所定のカラーに該当する複数の画素が水平方向および垂直方向に各整列するようにして二次元的に配列された光電変換部を有する撮像装置に係る画素欠陥補正方法であって、
上記撮像装置に設けた読み出し回路部によって、上記光電変換部の全画素の光電変換出力を読み出す第１読み出しモードと、上記全画素のうち水平方向又は垂直方向の配列中一方向の配列に関しては間欠的に、且つ、他方向の配列に関しては全てが、各選定された限定的な画素の光電変換出力を読み出す第２読み出しモードとの何れかのモードによって、各該当する画素の光電変換出力を読み出し、
上記撮像装置に設けた欠陥補正処理部によって、上記読み出し回路部が上記第１読み出しモードによって上記全画素の光電変換出力を読み出すときには、当該欠陥画素が該当するカラーと同じカラーの画素として上記欠陥画素に水平方向に隣接する画素の光電変換出力および垂直方向に隣接する画素の光電変換出力に基づいて得られる光電変換出力を上記欠陥画素の信号として置き換えることにより欠陥補正処理を行い、上記読み出し回路部が上記第２読み出しモードによって上記限定的な画素の光電変換出力を読み出すときには、上記他方向の配列に関するものに限定して上記欠陥画素に該当するカラーと同じカラーの画素として上記欠陥画素に隣接する画素の光電変換出力に基づいて得られる光電変換出力を上記欠陥画素の信号として置き換えることにより欠陥補正処理を行うようにすることを特徴とする画素欠陥補正方法。
【００１７】
【発明の実施の形態】
以下、図示の実施形態につき詳述することによって本発明を明らかにする。
【００１８】
図１は、本発明をデジタルカメラに適用した場合の一実施形態に係わる基本構成を示すブロック図である。
【００１９】
図中の１１は被写体からの光を結像するための撮影レンズであり、このレンズで結像された被写体像はＣＣＤ撮像素子１２により光電変換される。この撮像素子１２の出力画像信号（アナログ信号）は、Ａ／Ｄ変換器１３を介してデジタル信号に変換された後、フレームメモリ１４に一時的に記憶される。フレームメモリ１４に記憶された画像信号は欠陥補正回路１５に供給される。ＣＣＤ撮像素子１２に存在する欠陥画素のアドレスを表わすデータが、予めＥＥＰＲＯＭ等からなる欠陥メモリ１６に格納されている。このアドレスのデータに基づいて欠陥画素に相当する部分が補正、即ち、画素欠陥補正処理が行われる。この画素欠陥補正処理が施された画像信号はメモリカード１７に記録されるように構成されている。上述のＣＣＤ撮像素子１２は、自己の光電変換面に複数の画素が水平方向および垂直方向に各整列するようにして二次元的に配列された本発明の構成要素たる光電変換部をなしている。
【００２０】
図示のように、ＣＣＤ撮像素子１２の駆動タイミングを制御するタイミングジェネレータ（ＴＧ）１８と、このＴＧ１８を駆動するためのシグナルジェネレータ（ＳＧ）１９とが設けられ、さらに、上述したＣＣＤ撮像素子１２、フレームメモリ１４、ＴＧ１８、ＳＧ１９の各部を含む本デジタルカメラの系全体を統括的に制御するためのＣＰＵ２０が設けられている。
【００２１】
本例の装置は、上記光電変換部の全画素の光電変換出力を読み出す第１読み出しモードと、上記全ての画素のうち水平方向又は垂直方向の配列中一方向の配列に関しては間欠的に、且つ、他方向の配列に関しては全てが、各選定された限定的な画素の光電変換出力を読み出す第２読み出しモードとの何れかのモードによって、各該当する画素から光電変換出力を読み出すように構成される。上記第１読み出しモードが所謂全画素読み出しモードであって、水平及び垂直方向に２次元配列された画素を１水平ラインずつ順次読み出すモードである。上記第２読み出しモードが所謂間引き読み出しモードであって、これは、水平ラインを１本おきに間引いて読み出すモードである。
【００２２】
図２は、全画素読み出しモードと間引き読み出しモードにおける欠陥画素の補正方法を表わす概念図である。
全画素読み出しモードにおける欠陥画素の補正は、図２（ａ）に示すように、隣接４画素の情報を基に補完処理により行われる。即ち、水平ラインにおいて欠陥画素に隣接する２つの正常画素と、垂直ラインにおいて欠陥画素に隣接する２つの正常画素の各信号を加算し、その加算結果（より厳密には、これら４つの正常画素の光電変換出力の平均値）が欠陥画素の信号として置き換えられる。
【００２３】
一方、水平間引き読み出しモードにおいては、図２（ｂ）に示すように、水平方向に各隣接する２画素の情報に基づく補完処理により欠陥画素の補正が行われる。即ち、垂直ラインに沿う方向でこの欠陥画素に隣接する２つの正常画素の各信号は加算せず、水平ラインに沿う方向において欠陥画素に各隣接する２つの正常画素の各信号のみを加算し、その加算結果（より厳密には、これら２つの正常画素の光電変換出力の平均値）が欠陥画素の信号として置き換えられる。これは、間引き読み出しモードにおいて、全画素読み出しモードにおけると同様の隣接４画素の加算を行うと、垂直方向の正常画素の位置が遠いため、相関が低く、正確な欠陥補正ができないためである。
カラー撮像素子における場合、上記に言う「隣接する」とは、当該欠陥画素が該当するカラー（その画素位置に該当するカラー）と同じカラーの画素として、この欠陥画素に水平方向或いは垂直方向に隣接する意であることは既述の通りである。物理的に直近の画素は当該欠陥画素とは異なるカラーを担うものであるのが普通であるが、同じカラーを担う画素として、最も近いところに位置する意であることも既述の通りである。
【００２４】
図３は、本実施形態における欠陥画素補正及び補正モードの切り替えを行うための回路構成を示す図である。図中のＤは１クロックディレイ（水平方向に沿った１画素分相当の遅延）、Ｈは１Ｈディレイ（水平１ライン分相当の遅延）、（＋）は加算器、（１／２），（１／４）は除算器、ＳＷ１，２はスイッチを示している。
【００２５】
図４は、欠陥画素を中心にした水平、垂直各方向の９画素を模式的に示す図である。同図において、欠陥画素は画素２ｊであり、この画素を中心に水平，垂直の各方向に隣接した位置にある９画素を示している。図示のように、水平方向のｉラインには各画素１ｉ，２ｉ，３ｉが、ｊラインには各画素１ｊ，２ｊ，３ｊが、ｋラインには各画素１ｋ，２ｋ，３ｋが夫々配され、画素信号（光電変換出力）の読み出しは、１ｉ，２ｉ，３ｉ，…，１ｊ，２ｊ，３ｊ，…，１ｋ，２ｋ，３ｋ，…という順で行われる。
【００２６】
既述の図３において、いま入力端ＩＮに画素３ｋの信号が供給された場合を想定する。この状態で、入力信号３ｋが１つのＨを介した出力は３ｊであり、更にＤを介した出力は２ｊ、更にＤを介した出力は１ｊである。また、入力端ＩＮから１つのＤを介した出力は２ｋであり、更にＨを介した出力は２ｊ、更にＨを介した出力は２ｉである。
【００２７】
従って、ＳＷ１が接点Ｓ１側であれば、出力端には画素２ｊの信号が現れる。このときの画素２ｊは補完処理を被らないそのままの信号であり、これは対応画素が欠陥を持たない正常画素である場合である。ＳＷ１が接点Ｓ２側で、ＳＷ２が接点Ｓ１側であると、１ｊと３ｊが加算され、更に１／２に除算された出力、即ち水平方向に沿って隣接する２画素による補完出力が得られる。ＳＷ１が接点Ｓ２側で、ＳＷ２が接点Ｓ２側であると、１ｊ，３ｊと２ｋ，２ｉが加算され、更に１／４に除算された出力、即ち水平および垂直方向にそって各隣接する４画素による補完出力が得られる。
【００２８】
このように、ＳＷ１の切り替えにより、欠陥補正の有無を切り換えることができ、ＳＷ２の切り替えにより水平方向に隣接する２画素の加算（による平均処理）か水平および垂直方向に各隣接する４画素の加算（による平均処理）かを切り換えることができる。従って、全画素読み出しモードの場合はＳＷ１をＳ２側，ＳＷ２をＳ２側にして水平および垂直方向に各隣接する４画素の加算（による平均処理）を行い、間引き読み出しモードの場合はＳＷ１をＳ２側，ＳＷ２をＳ１側にして水平２画素の加算（による平均処理）を行うことができ、いずれのモードにおいても適切な画素欠陥補正が可能となる。
【００２９】
なお、本発明は上述した実施形態に限定されるものではない。既述の実施形態では、間引き読み出しモードとして水平ラインを１本おきに間引いた水平間引き読み出しの例を説明したが、水平ラインを２本おきに間引いた水平間引き読み出しにも同様に適用することができる。さらに、水平ラインではなく垂直ラインを間引いた垂直間引き読み出しモードに適用することも可能である。この場合、欠陥画素の存在する垂直ラインの欠陥画素に垂直方向に隣接する２つの正常画素のみを用いて画素欠陥補正を行うようにすればよい。
【００３０】
また、画素欠陥補正のための回路構成は前記図３に何ら限定されるものではなく、仕様に応じて適宜変更可能である。さらに、撮像素子はＣＣＤに限るものではなく、ＣＭＯＳセンサを適用することも可能である。その他、本発明の要旨を逸脱しない範囲で、種々変形して実施することができる。
【００３１】
【発明の効果】
以上詳述したように本発明によれば、全画素を読み出すモードと間引いて読み出すモードとが切換えられることに対応して適切な画素欠陥補正処理を行うことができる装置および方法が実現される。
【図面の簡単な説明】
【図１】本発明の一実施形態に係わるデジタルカメラの基本構成を示すブロック図。
【図２】全画素読み出しモードと間引き読み出しモードにおける欠陥画素の補正の様子を示す図。
【図３】本発明の実施形態における欠陥画素補正及び補正モードの切り替えを行うための回路構成を示す図。
【図４】欠陥画素を中心にした水平、垂直各方向の９画素を模式的に示す図。
【符号の説明】
１１…撮影レンズ
１２…ＣＣＤ撮像素子
１３…Ａ／Ｄ変換器
１４…フレームメモリ
１５…欠陥補正回路
１６…欠陥メモリ
１７…メモリカード
１８…タイミングジェネレータ（ＴＧ）
１９…シグナルジェネレータ（ＳＧ）
２０…ＣＰＵ
Ｄ…１クロックディレイ（水平１画素分の遅延）
Ｈ…１Ｈディレイ（垂直１ライン分の遅延）
（＋）…加算器
（１／２），（１／４）…除算器
ＳＷ１，２…スイッチ
【図１】
0003925914.tif 000002
【図２】
0003925914.tif 000003
【図３】
0003925914.tif 000004
【図４】
0003925914.tif 000005